(57)【要約】【課題】吸気口に埃が集まってしまうために吸気口が詰まり、他のスペースが有効に使用できないという先行技術に存在した問題点を解決する真空掃除機及び集塵容器を提供すること。【解決手段】真空掃除機に取り付け可能な集塵容器は、ケース体と遮断部材とを含む。遮断部材をケース体に配置して当該ケース体を塵室と分流室に区切り、ケース体には、塵室に対応する吸気口と分流室に対応する排気口とを配置し、吸気口に対向する遮断部材には障壁片を配置して、障壁片と吸気口との間に流れの遅いエリアを形成して効果的に埃を分散させる。【選択図】図１Ｃ
0003168865.tif 000002
【実用新案登録請求の範囲】
【請求項１】
真空掃除機に取り付け可能な集塵容器であって、
ケース体と
遮断部材と、を備え、
前記遮断部材は、前記ケース体に配置されて当該ケース体を塵室と分流室とに区切り、
前記ケース体には、前記塵室に対応する吸気口と前記分流室に対応する排気口が配置され、
前記吸気口に対応する前記遮断部材には、障壁片が配置される、
集塵容器。
【請求項２】
前記ケース体は、外枠体と蓋体とを更に備える請求項１に係る集塵容器。
【請求項３】
前記遮断部材は、フィルタスクリーンとフレームとを更に備える請求項１に係る集塵容器。
【請求項４】
前記障壁片は、当該障壁片を分解して前記遮断部材から分離できるように複数の鉤部を更に備える請求項１に係る集塵容器。
【請求項５】
前記吸気口は、シール部材を更に備える請求項１に係る集塵容器。
【請求項６】
ケース体及び当該ケース体に配置されて当該ケース体を塵室と分流室とに区切る遮断部材を備え、前記ケース体には、前記塵室に対応する吸気口及び前記分流室に対応する排気口が配置され、前記吸気口に対向する前記遮断部材には、障壁片が配置される集塵容器と、
前記排気口に対応する抽気開口部及び真空掃除機の外側の部分に対応する気体排出口を備えて配置される抽気室と、前記抽気室に配置されて稼働中に気体を前記吸気口から吸い込んだり前記気体排出口から排出したりできるようにする電力素子とを有する抽気装置とを備える、
真空掃除機。
【請求項７】
前記ケース体は、外枠体と蓋体とを更に備える請求項６に係る真空掃除機。
【請求項８】
前記遮断部材は、フィルタスクリーンとフレームとを更に備える請求項６に係る真空掃除機。
【請求項９】
前記障壁片は、当該障壁片を分解して前記遮断部材から分離できるように複数の鉤部を更に備える請求項６に係る真空掃除機。
【請求項１０】
前記吸気口は、シール部材を更に備える請求項６に係る真空掃除機。
【考案の詳細な説明】
【技術分野】
【０００１】
本考案は、容器に関し、特に自走式掃除機において埃を溜めるために用いる集塵容器に関する。
【背景技術】
【０００２】
人は、室内環境を清潔衛生に保つために住居を定期的に整頓したり掃除したりするが、例えば、雑巾、モップ及び真空掃除機等が埃を掃除するための道具として最も一般的に使用されている。
【０００３】
一般的には、真空掃除機が埃に対する一番の対抗手段である。
真空掃除機は主に、真空ポンプ（モータを備えて構成される抽気ファン）、フィルタスクリーン、集塵ボックス、誘導管及び吸込みヘッドを有する。
【０００４】
掃除の原則は、主に抽気ファンの回転によって真空掃除機の内部に負圧状態を形成して内向きの吸引力を発生させることにより、床、絨毯、壁、家具等の表面や雑巾やほうきを直接用いることでは簡単にきれいにできない他の表面等に付着した埃を吸い取り、更に、床上の埃をほうきで掃いた時に埃が周囲に飛び散るという状況を効果的に回避することである。
【０００５】
真空掃除機は上記の利点を有するが、真空掃除機の内部に形成される内圧及び内向きの吸引力を十分に維持するためには、フィルタスクリーン及び集塵部を定期的に洗浄して真空掃除機の内部風洞が塞がれないように維持する必要がある。
【０００６】
例えば、埃が吸気口から吸い込まれると、気体は最も短い経路を通って流れるので、気体が吸気口にあるフィルタスクリーンを通過する際に吸気口のフィルタスクリーンに埃が付着する。
【０００７】
時間の経過と共に、集塵ボックス全体の吸気口は、埃が吸気口に集まって次第に埃でいっぱいになり、吸気口が塞がれてしまい、他のスペースも有効に使用することができなくなる。
そのため、フィルタスクリーン及び集塵ボックスの残りのスペースを有効に使用し、かつ、真空掃除機のフィルタスクリーンの洗浄時期を延ばす方法を解決することは、設計者にとって大きな課題である。
【考案の概要】
【考案が解決しようとする課題】
【０００８】
上記の課題に鑑み、本考案は、吸気口に埃が集まってしまうために吸気口が詰まり、他のスペースが有効に使用できないという先行技術に存在した問題点を解決する真空掃除機及び集塵容器である。
【課題を解決するための手段】
【０００９】
本考案は、真空掃除機に取り付け可能であり、ケース体と、当該ケース体に配置されて当該ケース体を塵室と分流室とに区切る遮断部材とを備える集塵容器を提供する。
【００１０】
前記ケース体には、前記塵室に対応する吸気口と、前記分流室に対応する排気口とが配置される。前記吸気口に対向する遮断部材には、障壁片が配置される。
【００１１】
また、本考案は、集塵容器と抽気装置とを備える真空掃除機を提供する。
前記集塵容器は、ケース体と、当該ケース体に配置されて当該ケース体を塵室と分流室とに区切る遮断部材とを備える。
【００１２】
更に、前記ケース体には、前記塵室に対応する吸気口と、前記分流室に対応する排気口とが配置される。前記吸気口に対向する前記遮断部材には、障壁片が配置される。また一方、前記抽気装置は、抽気室と電力素子を有し、前記抽気室は、前記排気口に対応する抽気開口部と前記真空掃除機の外側の部分に対応する気体排出口とを備えて配置される。
前記電力素子は、前記抽気室に配置されて稼働中に気体を前記吸気口から吸い込んだり前記気体排出口から排出したりできるようにする。
【考案の効果】
【００１３】
本考案に係る集塵容器及び集塵容器を適用する真空掃除機において、障壁片を吸気口に対向する遮断部材に配置して障壁片と吸気口との間に流れの遅いエリアを形成する。
気体は、障壁片の位置で分流を形成して、埃が塵室の中へと吸い込まれる時に塵室の周囲のスペースに向かって動いて埃が吸気口の位置でブロックされないようにするので、塵室のスペースを有効に使用でき、集塵容器の洗浄時期を延ばすことができる。
【図面の簡単な説明】
【００１４】
【図１Ａ】図１Ａは、本考案の実施形態の概略立体図である。
【図１Ｂ】図１Ｂは、図１Ａの概略分解図である。
【図１Ｃ】図１Ｃは、図１Ａの気体流路の概略立体断面図である。
【図２】図２は、本考案の実施形態に係る真空掃除機の流路の概略断面図である。
【図３】図３は、本考案の実施形態に係る真空掃除機の概略断面図及び気体流路の概略図である。
【図４】図４は、本考案の他の実施形態に係る障壁片の概略構造図である。
【図５Ａ】図５Ａは、本考案の他の実施形態に係る障壁片の形状の概略図である。
【図５Ｂ】図５Ｂは、図５Ａの障壁片の他の形状の概略図である。
【図５Ｃ】図５Ｃは、図５Ａの障壁片の他の形状の概略図である。
【考案を実施するための形態】
【００１５】
添付の図面は、記載した説明と併せて本考案の１つ以上の実施形態を示し、本考案の原理の説明に供する。実施形態の同じ又は同様の構成要素は、図面を通して可能な限り同じ参照符号を用いて言及する。
【００１６】
本考案のこれら及び他の態様を、以下に説明する好適な実施例の説明及び以下の図面から明らかにする。なお、本明細書の変形例及び変更例が本開示の進歩的概念の精神及び範囲から逸脱することなく実施される。
【実施例】
【００１７】
本考案に係る集塵容器及び集塵容器を適用する真空掃除機において、真空掃除機は、車両用真空掃除機、家庭用真空掃除機及びロボット真空掃除機であってもよもいが、これらに限定されるものではない。
【００１８】
本考案の以下の実施形態では、ロボット真空掃除機を本考案の実施形態として用いる。この実施形態は、ロボット真空掃除機の有効な動作時間を延ばすことを目的とする。
【００１９】
図１Ａを参照すると、本考案に係る真空掃除機６００は、集塵容器１００と抽気装置４００とを備える。
【００２０】
集塵容器１００は、例えば塵や毛髪等の汚れを濾過する機能を有し、本実施形態のロボット真空掃除機であってもよいが、それに限られず任意の真空掃除機６００に適用することができる。
【００２１】
集塵容器１００は、ケース体２００と、遮断部材３００とを備える。
ケース体２００は、外枠体２１０と蓋体２２０とを備え、蓋体が外枠体２１０の上を覆ってケース体２００の内部スペースを形成する。
【００２２】
また一方、ケース体２００の内部スペースには遮断部材３００が配置され、内部スペースを塵室２３０と分流室２４０とに区切っている。更に、ケース体には、塵室２３０に対応する吸気口２３１と、分流室２４０に対応する排気口２４１が配置される。
【００２３】
気体が真空掃除機６００へと吸引される時に、気体が真空掃除機６００内部の構成要素を通って流れるその順序を、例を示して説明する。
例えば、真空掃除機６００の内部に負圧状態を形成して内向きの吸引力を発生させることにより、床、絨毯、壁、家具等の表面や雑巾やほうきを直接用いて簡単にきれいにできない他の表面等に付着した埃を吸い取る。
吸気口２３１から真空掃除機６００の中へと吸引されると、埃は、塵室２３０、遮断部材３００及び分流室２４０を順に通って流れ、そして、排気口２４１からケース体２００の外へと排気される。
【００２４】
また、複数の車輪５００が外枠体２１０の底部に配置されているため、真空掃除機６００が床上をスライドする際の真空掃除機６００と床との間の摩擦が軽減され、真空掃除機６００のモビリティが更に高まる。
【００２５】
更に、吸気口２３１は、その一端が外枠体２１０に固定された柔らかいシート状のシール部材２３２を更に備える。
抽気装置４００が動くと、真空掃除機６００内に負圧が発生する。その負圧によって気体が吸気口２３１から吸引され、そして、吸気口が開口状態となるようにシール部材２３２が内側に向かって押されて開く。
真空掃除機の電源を切ると負圧がなくなるので、シール部材２３２が吸気口２３１から流れる気体によって押されて開くことはない。よって、吸気口２３１は、シールされた状態であり、埃が塵室２３０の中に保持される。
【００２６】
更に、床、絨毯、壁又は家具に付着した埃や他の汚れの吸い取りを強化するために、クリーニングブラシ５１０を真空掃除機の吸気口２３１に取り付ける。クリーニングブラシ５１０は、真空掃除機６００による埃の吸い取りを促進するために埃を除去することができる。
【００２７】
遮断部材３００は、網目状のフレーム３１０とフィルタスクリーン３２０とを有する。
フィルタスクリーン３２０は、フレーム３１０に取り付け可能であり、フィルタスクリーン３２０は網目状のフィルタリングエリアになっている。気体がフィルタスクリーンのフィルタリングエリアを通って流れる際にフィルタスクリーン３２０が気体中の埃を濾過する。
【００２８】
なお、障壁片３３０は、吸気口２３１に対向する遮断部材３００に配置されていることに留意されたい。
気体は、フィルタスクリーン３２０を流れる時に、障壁片３３０によってブロックされて流速が遅くなるので、障壁片３３０と吸気口２３１との間に流れの遅いエリア２５０が形成される。
障壁片３３０によってフィルタスクリーン３２０の周囲がブロックされることはないので、気体は通常の流速を維持する。そのため、気体は、障壁片３３０の周囲のエリアからフィルタスクリーン３２０を通り分流を形成する。
そのため、埃がフィルタスクリーン３２０の吸気口２３１に集中して付着することはないが、分散した状態でフィルタスクリーン３２０の別のエリアに付着したり、周囲の内部壁に沿って塵室２３０中へとスライドしたりする。
このように、障壁片３３０によって、埃が吸気口２３１に集められることはなく、塵室２３０において吸気口２３１を除くスペースが有効に使用される。
【００２９】
更に、抽気装置４００は、集塵容器１００上に構成されて真空掃除機６００の電源を形成する。
抽気装置４００は、抽気室４１０と電力素子４２０とを有する。電力素子４２０は、抽気室４１０に構成され、抽気室４１０は、排気口２４１に対応する抽気開口部４１１を有し、そして、圧送された気体が真空掃除機６００の外部スペースに対応する気体排出口４１２を通って真空掃除機６００の外へと排出される。
【００３０】
図２及び図３を参照して、以下では特に障壁片３３０を説明する。
【００３１】
障壁片３３０がフレーム３１０に配置されると、気体は吸気口２３１から入った後で障害物と遭遇する。そのため、気体流路が障壁片のそばを通って障壁片３３０の周囲へと導く（通路ａ等の）フィルタリングエリアを形成するので、埃は、気体によって通路ａを通って塵室２３０の吸気口２３１以外のスペースに溜まる。  
【００３２】
埃は、吸気口２３１以外のエリアに集まるので、埃が吸気口２３１を塞ぐことはない。なお、障壁片３３０は、真空掃除機６００の吸気口２３１に構成されるので、気体が流れの遅いエリア２５０を通過する際に障害物に遭遇すると、気体の流速は遅くなる。
しかしながら、気体はより流速の早い他の通路を探し、吸気口２３１以外の（通路ａ等の）エリアへ流れ、そして、埃が吸気口２３１以外のエリアへ導かれて吸気口２３１以外のエリアへ直接落ちる。
そのため、埃が吸気口２３１に溜まらず、塵室２３０の他のスペースを有効に使用して塵を溜めることができる。
【００３３】
更に、図４を参照する。
真空掃除機に構成された障壁片３３０を様々な真空掃除機６００の様々な設計の吸気口２３１に合わせるために、障壁片３３０の形状は、様々な真空掃除機６００の様々な吸気口２３１の形状に従って異なってもよい。
【００３４】
更に、集塵容器１００を異なる真空掃除機６００に合わせる際に遮断部材３００全体ではなく障壁片３３０だけを取り替えられるように、障壁片３３０は、フレーム３１０上に障壁片３３０を引っ掛ける複数の鉤部３３１を更に備える。すなわち、様々な吸気口２３１の形状に従って障壁片３３０の様々な形状を選択してフレーム３１０上に構成する。
【００３５】
図５Ａから図５Ｃを参照する。
図５Ｂにおいて、気体が障壁片３３０を通過する際によりスムーズに流れるようにするために、障壁片３３０の形状が流線形となるように設計してもよい。
図５Ｃでは、気体が障壁片３３０を通過する際に真空掃除機６００が当初の設計よりも強力な吸引力を得られるようにするために、障壁片３３０に複数の開口部が空いている。
本考案は、図５Ａから図５Ｃに示した形状に限定されるものではなく、当業者であれば、実際の要件に従って吸気口２３１の形状に対応した形状の障壁片３３０を設計することができる。
【００３６】
本考案に係る集塵容器１００及び集塵容器１００を適用する真空掃除機６００において、障壁片３３０は、吸気口２３１のフレーム３１０上に構成されて障壁片３３０と吸気口２３１との間に流れの遅いエリア２５０を形成するので、埃がフィルタスクリーン３２０に付着する虞れを軽減させ、埃を塵室２３０の吸気口２３１を除いたスペースにより効率的に導くことで埃が吸気口２３１を塞いでしまうことを回避している。
集塵容器１００を真空掃除機６００に適用すると、真空掃除機６００の動作時間を延長することができる。
【００３７】
更に、障壁片３３０は鉤部３３１を有するので、真空掃除機６００の吸気口２３１の形状が変わると、様々な吸気口２３１の形状に従って障壁片３３０が取り替えられるので、遮断部材３００全体を取り替える必要がない。
製造者は、様々な吸気口２３１の形状を満たす障壁片３３０を製造するだけで良い。新しい障壁片３３０を遮断部材３００にパチンと嵌めて新しい吸気口の形状に合わせるので、区切り部３００を製造する費用が削減される。
【符号の説明】
【００３８】
１００  集塵容器
２００  ケース体
２１０  外枠体
２２０  蓋体
２３０  塵室
２３１  吸気口
２３２  シール部材
２４０  分流室
２４１  排気口
２５０  流れの遅いエリア
３００  遮断部材
３３０  障壁片
３３１  鉤部
４１０  抽気室
４１１  抽気開口部
４１２  気体排出口
４２０  電力素子
５００  車輪
６００  真空掃除機
【図１Ａ】
0003168865.tif 000003
【図１Ｂ】
0003168865.tif 000004
【図１Ｃ】
0003168865.tif 000005
【図２】
0003168865.tif 000006
【図３】
0003168865.tif 000007
【図４】
0003168865.tif 000008
【図５Ａ】
0003168865.tif 000009
【図５Ｂ】
0003168865.tif 000010
【図５Ｃ】
0003168865.tif 000011